(57)【要約】  【課題】  簡単な操作で場所を取らずに置くことができるようになる包装袋及びその包装袋の製造方法を提供する。  【解決手段】  包装袋１は、筒状に形成され、食品等の収容物を収容可能な袋体１１と、袋体１１の上端をシールする上シール部１３と、袋体１１の下端をシールする下シール部１５と、を含む。袋体１１には、左右方向に延びる目印線１７が印刷により付されている。この目印線１７によって袋体１１は上部領域１１ａと下部領域１１ｂとに分けられており、この目印線１７が下部領域１１ｂを上部領域１１ａの内側に折り込む操作を行うときの目印となる。【選択図】図１
2015067295.tif 000002
【特許請求の範囲】
【請求項１】
フィルム部材により構成される包装袋であって、
内部に収容物を収容可能な袋体と、
前記袋体に形成され、所定方向に延びる目印部と、を備え、
前記袋体は、第１の領域と、該第１の領域の内側に折り込み可能である第２の領域と、を有しており、
前記目印部は、前記第２の領域を前記第１の領域の内側に折り込むとき目印となる
ことを特徴とする包装袋。
【請求項２】
前記袋体は、筒状に形成されたフィルム部材の一方及び他方の開口をシールしてなるものであり、
前記所定方向とは、前記袋体の周方向である
ことを特徴とする請求項１に記載の包装袋。
【請求項３】
前記目印部は、前記袋体の外表面に印刷された線、プレス加工により形成された折り曲げ線、及び、プレス加工により形成され厚さ方向に圧縮された圧縮部分、のうち少なくともいずれか１つを含む
ことを特徴とする請求項１又は請求項２に記載の包装袋。
【請求項４】
前記目印部は、前記所定方向と交差する方向に並ぶ複数の折り曲げ線を含み、
前記複数の折り曲げ線は、前記袋体の外側から見て山折り及び谷折りの前記折り曲げ線をそれぞれ少なくとも１つ有する
ことを特徴とする請求項３に記載の包装袋。
【請求項５】
前記目印部は、前記袋体の外側から見て山折りとなるように折り曲げられた前記折り曲げ線を含む
ことを特徴とする請求項３に記載の包装袋。
【請求項６】
内部に収容物を収容可能な袋体を備えるフィルム部材により構成される包装袋の製造方法であって、
前記袋体は、第１の領域と、該第１の領域の内側に折り込み可能である第２の領域と、を有しており、
前記袋体に、所定方向に延び、前記第２の領域を前記第１の領域の内側に折り込むとき目印となる目印部を形成する目印部形成工程を備える
ことを特徴とする包装袋の製造方法。
【請求項７】
前記袋体は、フィルム部材を筒状に形成してなる筒状体の一方及び他方の開口をシールしてなるものであり、
帯状のフィルム部材の両端を接着して前記筒状体を形成する接着工程を備え、
前記目印部形成工程は、前記接着工程よりも前に行われる
ことを特徴とする請求項６に記載の包装袋の製造方法。
【発明の詳細な説明】
【技術分野】
【０００１】
本発明は、食品等を包装する包装袋に関する。
【背景技術】
【０００２】
従来、食品を充填し包装するために、内部に収容物を収容可能な袋体を有する包装袋が用いられている。特にスナック菓子のような軽食品を包装する場合には、筒状体の上部及び下部の開口部をそのまま密着シールしたピロータイプの包装袋を用いることも多い。
【０００３】
このような包装袋として、筒状体の軸方向に延びる開封用粗面部を設け、開封を容易にしたものがある（特許文献１参照）。
【先行技術文献】
【特許文献】
【０００４】
【特許文献１】特開平１１−３０１７３４号公報
【発明の概要】
【発明が解決しようとする課題】
【０００５】
軽食品などの包装袋は、横に広がった平たい形状をしている場合が多く、そのまま置くと広い置き場所が必要となる。特許文献１に記載された包装袋は、包装袋を寝かせたままで食品を取り出すことができるが、包装袋を倒して置くため場所を広く使ってしまう。
【０００６】
本発明の目的は、簡単な操作で場所を取らずに置くことができるようになる包装袋及びその包装袋の製造方法を提供することである。
【課題を解決するための手段】
【０００７】
上述した問題を解決するためになされた請求項１に記載の発明は、フィルム部材により構成される包装袋であって、内部に収容物を収容可能な袋体と、袋体に形成され、所定方向に延びる目印部と、を備えるものである。
【０００８】
上述した袋体は、第１の領域と、該第１の領域の内側に折り込み可能である第２の領域と、を有している。そして上述した目印部は、第２の領域を第１の領域の内側に折り込むとき目印となることを特徴とする。
【０００９】
このように構成された包装袋では、目印部を目印とすることで、第２の領域を第１の領域の内側に折り込む操作（以降、この操作を単に折り込み操作とも記載する）を簡便に行うことができる。この折り込み操作を行うと、第１の領域と第２の領域との境界部分を折り込み操作により折り曲げることができる。この折り曲げられた部分は環状になり、また包装袋の端部に位置するようになるため、その部分（以降、この部分を折り曲げ端部とも記載する）を底にして包装袋を立てることができる。
【００１０】
このように、上記包装袋では上述した折り込み操作を、目印部を目印とすることで簡単に行うことができる。そして、折り込み操作を行った包装袋は折り曲げ端部を底にして立てて置くことができるため、倒して置く場合と比較して場所を取らずに置くことができる。
【００１１】
上述した目印部が形成される場所は、第１領域と第２領域との境界部分となる。なおこの境界部分は、袋の大きさ、形状、袋体に収容される収容物の種類などに応じて適切な位置を決定することができる。
【００１２】
上述した袋体は、筒状に形成されたフィルム部材の一方及び他方の開口をシールしてなるものであり、上述した所定方向とは、袋体の周方向であるように構成してもよい。
包装袋は一般的にシール部分近傍から開封することが多い。上述した構成の包装袋であれば、袋体の周方向に沿う目印部を目印として折り込み操作を行うと、シール部分の一方は折り込まれて第１領域の内側に移動し、シール部分の他方は折り曲げ端部を底にして立てたときに上方に位置することとなる。よって、その上方に位置するシール部分にて開封することで、収容物を上方から容易に取り出せるようになる。
【００１３】
上述した目印部としては、例えば袋体の外表面に印刷された線、プレス加工により形成された折り曲げ線、及び、プレス加工により形成され厚さ方向に圧縮された圧縮部分、のうち少なくともいずれか１つを含むものとすることが考えられる。
【００１４】
目印部が印刷された線であれば目印部を視覚的に把握できる。また目印部が折り曲げ線や圧縮部分であれば、折り込み操作を行うときに折り曲げられる部分をその位置に誘導する（その位置での折り曲げが行われやすくする）ことができ、適切な位置で折り曲げを行うことができる。また、折り曲げ線や圧縮部分であっても視認できる大きさに形成されていれば、それらを視覚的に把握できる。
【００１５】
これら目印部は単独で形成されていてもよいし、複合的に形成されていてもよい。なおこれらの目印部は全体として線状に形成されるが、連続的かつ直線的な線状形状でなくてもよく、破線であったり、波線であったりしてもよい。
【００１６】
上記目印部は、上述した所定方向と交差する方向に並ぶ複数の折り曲げ線を含み、その複数の折り曲げ線は袋体の外側から見て山折り及び谷折りの折り曲げ線をそれぞれ少なくとも１つ有するように構成されていてもよい。
【００１７】
また上記目印部が、袋体の外側から見て山折りとなるように折り曲げられた折り曲げ線を含むように構成されていてもよい。
また、上述した問題を解決するためになされた請求項６に記載の発明は、内部に収容物を収容可能な袋体を備える、フィルム部材により構成される包装袋の製造方法である。この包装袋において、袋体は、第１の領域と、該第１の領域の内側に折り込み可能である第２の領域と、を有している。
【００１８】
本製造方法では、袋体に、所定方向に延び、第２の領域を第１の領域の内側に折り込むとき目印となる目印部を形成する目印部形成工程を備えることを特徴とする。
このような包装袋の製造方法により製造された包装袋は、請求項１に記載の包装袋と同様の構成を有しているため、上記包装袋と同様の作用・効果を奏することができる。
【００１９】
また、上記包装袋の製造方法において、袋体が、フィルム部材を筒状に形成してなる筒状体の一方及び他方の開口をシールしてなるものであり、帯状のフィルム部材の両端を接着して前記筒状体を形成する接着工程を備え、目印部形成工程が、接着工程よりも前に行われるように構成してもよい。
【００２０】
このような包装袋の製造方法により製造された包装袋は、袋体を筒状に形成する前に目印部を形成する。これにより、容易に袋体の全周に同様の目印部を形成することができる。特に折り曲げ線や圧縮した加圧部分を形成する場合、袋体を筒状に形成する前に目印部を形成することで、包装袋の全周（表側フィルム及び裏側フィルムの両方）において、袋体の内外方向に関して折り曲げ方向や圧縮方向が等しくなり、折り込み操作を簡便に行うことができる。
【図面の簡単な説明】
【００２１】
【図１】第１実施形態の包装袋を示す斜視図である。
【図２】図１のＡ−Ａ断面図であり、折り曲げ線周辺の拡大図である。
【図３】（ａ）、（ｂ）とも、包装袋の製造方法を説明する模式図である。
【図４】プレス部の拡大図であって、（ａ）が側面図であり、（ｂ）が斜視図である。
【図５】包装袋の使用方法を説明する図であり、（ａ）が折り込み操作を行う前の状態の断面図であり、（ｂ）が折り込み操作を行った包装袋を正面下方から見た斜視図であり、（ｃ）が折り込み操作を行った包装袋を正面上方から見た斜視図であり、（ｄ）が折り込み操作を行った後の断面図であり、（ｅ）が包装袋を自立させて上方を開封した状態の斜視図である。
【図６】第１実施形態の包装袋の折り曲げ線周辺の拡大図であり、図２と同様の視点の図である。
【図７】（ａ）、（ｂ）とも、包装袋の製造方法を説明する模式図である。
【図８】（ａ）が包装袋の変形例の折り曲げ線周辺の拡大図（図２と同様の視点）であり、（ｂ）がプレス部の側面図である。
【図９】（ａ）が包装袋の変形例の圧縮部分周辺の拡大図（図２と同様の視点）であり、（ｂ）がプレス部の側面図である。
【図１０】（ａ）、（ｂ）とも、包装袋の変形例を説明する模式図である。
【図１１】（ａ）が図１０（ａ）の包装袋に形成された目印部を形成するプレス部の一例であり、（ｂ）が図１０（ｂ）の包装袋に形成された目印部を形成するプレス部の一例である。
【図１２】（ａ）〜（ｅ）のいずれも、プレス部の断面図である。
【図１３】本発明が適用可能な包装袋のバリエーションの一例を示す図である。
【発明を実施するための形態】
【００２２】
以下に本発明の実施形態を図面と共に説明する。なお図面は理解を容易にするために特徴部分を大きくした模式的な図を用いているため、実際のものとは大きさの比率が相違する場合がある。
【００２３】
［第１実施形態］
（１）包装袋の構成
本実施形態の包装袋は、合成樹脂製フィルムからなり、収容物の一例として食品を収容可能とするものである。もちろん、包装袋の材料や収容物は上述したものに限られない。
【００２４】
合成樹脂フィルムとしては、ポリプレピレン系樹脂及びポリエステル系樹脂の少なくともいずれか一方を主成分とするフィルムを用いることができる。一例としては、ＯＰＰ（延伸ポリプロピレン）／ＶＭＣＰＰ（蒸着キャスティングポリプロピレン）、ＯＰＰ／ＶＭＰＥＴ（蒸着ポリエチレンテレフタレート）／ＣＰＰ、ＰＥＴ／ＶＭＰＥＴ／ＣＰＰ、ＯＰＰ／ＣＰＰ等の複合フィルム材料が例示されるが、これらに制限されるものではない。
【００２５】
図１に、本実施形態の包装袋１を示す。包装袋１は、筒状に形成され、食品等の収容物を収容可能な袋体１１と、袋体１１の上端をシールする上シール部１３と、袋体１１の下端をシールする下シール部１５と、を含む、いわゆるピロータイプの包装袋である。
【００２６】
なおここでいう上下の方向は、筒状の袋体１１の周方向と交差する方向である。本実施形態においては、各部の相対的な位置関係を簡潔に説明するため上下等の方向を規定しているが、これらの方向はあくまでも各部の相対的な位置関係を示すための定義にすぎず、包装袋１の使用態様や製造態様を規定するものではない。
【００２７】
袋体１１には、左右方向に延びる目印線１７が印刷により付されている。この目印線１７によって袋体１１は上部領域１１ａと下部領域１１ｂとに分けられており、この目印線１７が下部領域１１ｂを上部領域１１ａの内側に折り込む操作を行うときの目印となる。この目印線１７は上部領域１１ａと下部領域１１ｂとの境界部分に印刷されているともいえる。目印線１７が形成された部分には、目印線１７に沿った折り曲げ線１９が形成されている。
【００２８】
なお上述した左右方向とは、上シール部１３と下シール部１５とを結ぶ上下方向と略直交する方向であり、筒状の袋体１１の周方向ともいえる。上部領域１１ａが本発明における第１の領域の一例であり、下部領域１１ｂが本発明における第２の領域の一例である。
【００２９】
図２は、目印線１７の近傍を模式的に示す、図１のＡ−Ａ断面図である。包装袋１の正面（表側フィルム１ａ）及び背面（裏側フィルム１ｂ）に折り曲げ線１９が形成される。正面側の折り曲げ線１９は外部から見て山折りであり、背面側の折り曲げ線１９は外部から見て谷折りである。折り曲げ線１９は包装袋１の裏表の同じ位置に形成される。
【００３０】
なお、目印線１７及び折り曲げ線１９が本発明における目印部の一例である。
（２）包装袋の製造方法
包装袋１の製造方法の一例を説明する。包装袋１を製造する袋材料には、まず印刷が行われ、包装袋の図示しない外装と目印線１７が形成される。袋材料はその状態でロール状に巻きつけられている。
【００３１】
次に、図３（ａ）に示すように、ロール状に巻かれた長尺状の袋材料２１を、そのロールの軸方向両側の外縁を重ねて筒状となるように折り込み、重なった重複部分２２を第１ヒートシール部３１により加熱及び加圧して接着する。これにより軸方向が非常に長い筒状体２３が形成される。
【００３２】
続く工程を図３（ｂ）を用いて説明するが、図３（ｂ）は筒状体２３の表裏のフィルムが近接した状態を側方から見た状態を模式的に示す図である。図３（ｂ）に示すように、第２ヒートシール部３２が筒状体２３に対して所定の間隔でヒートシールを行い、筒状体２３の長さ方向と直交する方向に延びるシール部２４を形成する。このシール部２４は上述した上シール部１３及び下シール部１５のいずれかとなる。
【００３３】
続いてプレス部３３によりプレスを行い、折り曲げ線１９を形成する。折り曲げ線１９は印刷により目印線が形成された位置に重なるように形成される。プレス時には加熱を行うが、加熱温度は袋材料２１が溶着しない温度範囲であって、高めの温度に設定される。上述した印刷の工程及び本工程が、本発明における目印部形成工程の一例である。
【００３４】
プレス部３３の拡大図を図４（ａ）、（ｂ）に示す。プレス部３３は上側加圧バー３３ａ及び下側加圧バー３３ｂとからなり、互いの凹凸が対応する形状となっている。このようなプレス部３３により筒状体２３にプレスを行うことにより、図２に示すような折り曲げ線１９が形成される。
【００３５】
なお、第２ヒートシール部３２によるヒートシールと、プレス部３３によるプレスと、は工程の順序が逆になっていてもよい。
説明を図３（ｂ）に戻る。続いてシール部２４の近傍を切断機３４によりカットして、一方が開口３５として開口している包装袋３６が形成される。以下の工程の図示は省略するが、この包装袋３６の開口３５をヒートシールしてシール部を形成することで、両端がシールされた包装袋１が製造される。なお収容物を包装袋１の内部に収容する操作は開口３５をシールする前に行われる。
【００３６】
（３）包装袋の折り込み操作
本実施形態の包装袋１の使用方法を説明する。図５（ａ）〜（ｅ）は収容物を含む状態における包装袋１の形状を示しているが、理解を容易にするために収容物の図示は省略する。図１及び図５（ａ）に示すように、商品の搬送時、陳列時などには通常の包装袋の形態となっている。
【００３７】
ここで、目印線１７を目印として包装袋１の下部領域１１ｂを上部領域１１ａの内側に折り込む。そのとき、折り曲げ部分は折り曲げ線１９に誘導される。このような折り込み操作を行うと、図５（ｂ）〜（ｄ）に示すように、目印線１７の部分が環状となって包装袋１の下端に位置することとなる。その結果、その下端部分を底にして自立させることができるようになる。
【００３８】
この状態で図５（ｅ）に示すように包装袋１の上部を開封すると、例えばグラスのような上部が開口した筒状体に収容物が収容された状態となり、上方から収容物を取り出すことができるようになる。
【００３９】
（４）効果
本実施形態の包装袋１は、袋体１１に目印線１７及び折り曲げ線１９が形成されていることから、それらを目印として容易に包装袋１の下部領域１１ｂを内側に折り込むことができる。更に、折り曲げ線１９が折り曲げる位置を適切な位置に誘導するため、適切でない位置で折り曲げてしまったり、斜めに折り曲げてしまったりすることを抑制できる。
【００４０】
そして、包装袋１の下部領域１１ｂを上部領域１１ａの内側に折り込んだ状態においては、包装袋１を自立させて置くことができるため、包装袋１を置くために必要なスペースを小さくすることができる。
【００４１】
また、包装袋１に折り込み操作をして自立させた状態では、上方からの収容物の連続的な取り出しを容易に行うことができる。これは例えば収容物がスナック菓子である場合のように、中身を少量ずつ取り出す場合に適している。
【００４２】
［第２実施形態］
（１）包装袋の構成
本実施形態の包装袋４１は第１実施形態の包装袋１と比較して折り曲げ線の形状が相違するため、その点を中心に説明し、包装袋１と同様の部分は説明を割愛する。
【００４３】
図６に、包装袋４１の折り曲げ線１９ａ周辺の断面図を示す。包装袋４１の正面（表側フィルム４１ａ）及び背面（裏側フィルム４１ｂ）の同じ位置に折り曲げ線１９ａが形成されているが、折り曲げ線１９ａは正面及び背面のいずれも外側に向けて山折りとなっている。
【００４４】
（２）包装袋の製造方法
包装袋４１の製造方法の一例を説明する。包装袋４１を製造する袋材料に印刷により袋の図示しない外装と目印線が形成する点は第１実施形態と同様である。第１実施形態では次にロール状に巻かれた長尺状の袋材料２１から筒状体２３を製造したが、本実施形態では、図７（ａ）に示すように、まず袋材料２１にプレス部３３によりプレスを行い、折り曲げ線１９ａを形成する。
【００４５】
折り曲げ線１９ａは印刷により目印線が形成された位置に合せて形成される。プレス時には加熱を行うが、加熱温度は包装袋が溶着しない温度範囲で高めの温度に設定される。なおプレス部３３の構成は第１実施形態と同様とすることができる。
【００４６】
次に、折り曲げ線１９ａが形成された袋材料をその長手方向が軸方向となるように筒状に折り込み、重なった部分を第１ヒートシール部３１により接着する。これにより軸方向が非常に長い筒状体２３ａが形成される。なお、折り曲げ線１９ａが外側に向けて山折りとなるように筒状体２３ａは形成される。
【００４７】
次に、図７（ｂ）に示すように、第２ヒートシール部３２が筒状体２３ａに対して所定の間隔でヒートシールを行い、筒状体２３ａの長さ方向と直交する方向に延びるシール部２４を形成する。そしてシール部２４の近傍を切断機３４によりカットして、一方が開口３５として開口する包装袋３６ａが形成される。
【００４８】
この包装袋３６ａの開口３５をシールしてシール部を形成することで、両端がシールされた包装袋４１が完成する。なお収容物を包装袋１の内部に収容する操作は開口３５をシールする前に行われる。
【００４９】
なお、目印線１７及び折り曲げ線１９ａが本発明における目印部の一例である。
（３）効果
本実施形態の包装袋４１は、第１実施形態の包装袋１と同様に、包装袋４１を自立させて置くことができるため、包装袋４１を置くスペースを小さくすることができ、また収容物の上方からの取り出しを容易に行うことができる。
【００５０】
更に本実施形態の包装袋４１では、折り曲げ線１９ａが包装袋４１の正面と背面のいずれの側においても外側に向けて山折りに形成されているため、包装袋４１に対して折り込み操作を行う際の折り曲げ方向と折り曲げ線１９ａの折り曲げ方向とが一致し、折り曲げをより簡便に行うことができる。
【００５１】
［その他の実施形態］
以上本発明の実施例について説明したが、本発明は、上記実施例に何ら限定されることはなく、本発明の技術的範囲に属する限り種々の形態をとり得ることはいうまでもない。
【００５２】
例えば、上記各実施形態において、目印部は袋体の上下方向の一箇所に形成される構成を例示したが、目印部は上下に間隔を空けて複数設けられていてもよい。そのように構成された包装袋であれば、袋体の下部領域を上部領域の内側に折り込むときの折り曲げ位置を調整でき、例えば収容物の量の変化に応じて適切な高さに調整することができる。
【００５３】
また、一つの目印部が、互いに近接して上下方向に並ぶ複数の折り曲げ線を含むものであってもよい。例えば図８（ａ）に断面拡大図を示す包装袋５１のように、正面（表側フィルム５１ａ）には外側に向けて山折りの折り曲げ線１９ｂと、谷折りの折り曲げ線１９ｃと、が形成され、背面（裏側フィルム５１ｂ）には外側に向けて山折りの折り曲げ線１９ｄと、谷折りの折り曲げ線１９ｅと、が形成されるように形成することが考えられる。もちろん、更に多くの折り曲げ線が形成されていてもよい。
【００５４】
このように構成された包装袋５１では、袋体５２の下部領域５２ｂを上部領域５２ａの内側に折り込む際に、包装袋５１の正面では折り曲げ線１９ｂを利用して内側に折り曲げることができ、また包装袋５１の背面では折り曲げ線１９ｄを利用して内側に折り曲げることができる。従って、第１実施形態のように筒状体２３を形成した後に折り曲げ線を形成する製造方法であっても、両方に山折りの折り曲げ線が形成されるため、折り曲げを簡便に行うことができる。
【００５５】
上述した折り曲げ線を形成するためのプレス部としては、例えば図８（ｂ）に示すプレス部５４（上側加圧バー５４ａ、下側加圧バー５４ｂ）を用いることが考えられる。
なお、山折りの折り曲げ線１９ｂ（１９ｄ）と谷折りの折り曲げ線１９ｃ（１９ｅ）との距離に応じて、山折りの折り曲げ線を基準として折り込み操作を行った際の、包装袋５１の下端部分において正面側と背面側との間に生じる段差の大きさが定まる。段差が大きすぎると包装袋５１を立てたときの傾きが大きくなるため、包装袋５１が真っ直ぐ立つことを望む場合には、上述した距離は５ｍｍ以下とすることが好ましく、特に３ｍｍ以下とすることが好ましい。
【００５６】
また上記各実施形態においては、目印部として目印線１７及び折り曲げ線１９、１９ａを形成する構成を例示したが、図９（ａ）に拡大断面図を示す包装袋６１のように、目印部として袋体６２の周方向に沿って延びる圧縮部分６３を有する構成であってもよい。圧縮部分６３は、例えば図９（ｂ）に示すようなプレス部６５（上側加圧バー６５ａ、下側加圧バー６５ｂ）を用いることにより形成することができる。
【００５７】
このように構成された包装袋６１では、圧縮されたことにより周囲との強度が異なる圧縮部分６３自体が折り曲げの目印及びガイドとして機能するため、圧縮部分６３に沿って適切に折り込み操作を行うことができる。
【００５８】
ところで目印部としては、目印線、折り曲げ線、圧縮部分のうち少なくともいずれか１つのみを用いて形成することが可能であり、またそれらのうち複数が同時に形成されていてもよい。またこれらの目印部は、連続的かつ直線的な線状に形成されていてもよい。即ち、目印部全体として所定方向に長さを有していればよく、破線状であったり、波線状であったりしてもよい。また、袋体の全周に形成されている必要はなく、例えば断続的に形成されていてもよい。
【００５９】
図１０（ａ）に示す包装袋７１のように、目印部として上下のいずれか一方又は両方が波型であるいわゆる櫛歯状の圧縮部分７２が形成される構成や、図１０（ｂ）に示す包装袋７３のように、目印部として波型の圧縮部分７４が形成される構成としてもよい。
【００６０】
このような目印部では、折り曲げ位置を誘導する圧縮部分が、各図の矢印で示すように上下方向にずれた複数の位置に形成されることとなる。そのため、折り込み操作のときに折り曲げ位置を誘導する部分が上下方向に幅を持って形成されることとなり、折り曲げ位置の誘導が実現されやすくなる。
【００６１】
なお、図１０（ａ），（ｂ）に示すような目印部を形成するためには、図１１（ａ），（ｂ）に示すプレス部８１，８３を用いることが考えられる。プレス部８１は、上側加圧バー８１ａが一方に凸部が並んだ櫛歯状であって、下側加圧バー８１ｂは上側加圧バーの形状に対応する溝８２が形成されている。なお、プレス部８１の下側加圧バー８１ｂはフラットな形状であってもよい。
【００６２】
またプレス部８３は上側加圧バー８３ａと下側加圧バー８３ｂとからなり、互いに対向する面が同一の波型形状となっている。
また、プレス部の形状は既に説明したものに限定されず、図１２（ａ）〜（ｅ）に示すプレス部９１〜９５のような様々な断面形状とすることができる。プレス部９１により形成される包装袋は、目印部として一つの折り曲げ線を形成できる。またプレス部９２では３つの折り曲げ線を形成でき、プレス部９３は圧縮部分を形成でき、プレス部９４は多数の折り曲げ線を形成でき、プレス部９５は上下に間隔を空けて折り曲げ線を形成できる。
【００６３】
また、上記各実施例においては、ピロータイプの包装袋を用いる構成を例示したが、包装袋の形状は特に限定されない。例えば、図１３（ａ）に示すように、マチを有するいわゆるガゼットタイプの包装袋１０１に目印部１０２を形成してもよいし、図１３（ｂ）に示すように、二枚のフィルムの底と側面の三方を張り合わせたいわゆる三方袋タイプの包装袋１０３に目印部１０４を形成してもよい。
【符号の説明】
【００６４】
１…包装袋、１ａ…表側フィルム、１ｂ…裏側フィルム、１１…袋体、１１ａ…上部領域、１１ｂ…下部領域、１３…上シール部、１５…下シール部、１７…目印線、１９， １９ａ〜１９ｅ…折り曲げ線、２１…袋材料、２３，２３ａ…筒状体、２４…シール部、３１…第１ヒートシール部、３２…第２ヒートシール部、３３…プレス部、３４…切断機、３５…開口、３６，３６ａ…包装袋、４１…包装袋、４１ａ…表側フィルム、４１ｂ…裏側フィルム、５１…包装袋、５１ａ…表側フィルム、５１ｂ…裏側フィルム、５２…袋体、５２ａ…上部領域、５２ｂ…下部領域、５４…プレス部、６１…包装袋、６２…袋体、６５…プレス部、７１…包装袋、７２…圧縮部分、７３…包装袋、７４…圧縮部分、８１，８３，９１〜９５…プレス部、１０１…包装袋、１０２…目印部、１０３…包装袋、１０４…目印部
【図１】
2015067295.tif 000003
【図２】
2015067295.tif 000004
【図３】
2015067295.tif 000005
【図４】
2015067295.tif 000006
【図５】
2015067295.tif 000007
【図６】
2015067295.tif 000008
【図７】
2015067295.tif 000009
【図８】
2015067295.tif 000010
【図９】
2015067295.tif 000011
【図１０】
2015067295.tif 000012
【図１１】
2015067295.tif 000013
【図１２】
2015067295.tif 000014
【図１３】
2015067295.tif 000015